(57)【要約】【課題】建設作業を容易に行うと共に、建設工期を短縮することができるプラント建屋の建設方法を提供する。【解決手段】本発明によるプラント建屋の建設方法において、まず、床４上に所望の部屋２を区画する壁５が施工される。次に、壁５によって区画された部屋２内に、当該部屋２内に設置される設備機器３０の一部が搬入される。一方、デッキプレート１１と、このデッキプレート１１を支持するデッキプレート受け鉄骨１２と、デッキプレート受け鉄骨１２に直交して固定された天井梁１３とを有し、当該部屋２の天井３を構成するデッキユニット１０を準備し、このデッキユニット１０の天井梁１３に、当該部屋２内に設置される設備機器３０の残部を取り付けることにより天井モジュール構造体１が製造される。その後、天井モジュール構造体１が、施工された壁５に設置される。【選択図】図４
2011246945.tif 000002
【特許請求の範囲】
【請求項１】
プラント建屋の建設方法において、
床上に所望の部屋を区画する壁を施工する工程と、
壁によって区画された部屋内に、当該部屋内に設置される設備機器の一部を搬入する工程と、
デッキプレートと、このデッキプレートを支持するデッキプレート受け鉄骨と、デッキプレート受け鉄骨に直交して固定された天井梁とを有し、当該部屋の天井を構成するデッキユニットを準備し、このデッキユニットの天井梁に、当該部屋内に設置される設備機器の残部を取り付けることにより天井モジュール構造体を製造する工程と、
天井モジュール構造体を施工された壁に設置する工程と、を備えたことを特徴とするプラント建屋の建設方法。
【請求項２】
天井モジュール構造体を製造する工程は、屋外で行なわれることを特徴とする請求項１に記載のプラント建屋の建設方法。
【請求項３】
天井モジュール構造体を製造する工程は、設備機器の一部を搬入する工程と並行して行なわれることを特徴とする請求項１または２に記載のプラント建屋の建設方法。
【請求項４】
天井モジュール構造体を施工された壁に設置する工程の後に、デッキユニットのデッキプレートにコンクリートが打設されることを特徴とする請求項１乃至３のいずれかに記載のプラント建屋の建設方法。
【請求項５】
天井モジュール構造体を製造する工程において、デッキユニットの天井梁に、機器取付機構を介して設備機器の残部が取り付けられ、この機器取付機構が、天井梁にボルトを用いて取り付けられることを特徴とする請求項１乃至４のいずれかに記載のプラント建屋の建設方法。
【請求項６】
当該部屋内に搬入された設備機器の一部を、デッキユニットに吊り上げる工程と、
当該部屋の床の上面を塗装する工程と、を更に備えたことを特徴とする請求項１乃至５のいずれかに記載のプラント建屋の建設方法。
【請求項７】
プラント建屋の建設で用いられ、建屋の所望の部屋の天井を構成し、当該部屋を区画する壁が施工された後に当該壁に設置される天井モジュール構造体において、
デッキプレートと、このデッキプレートを支持するデッキプレート受け鉄骨と、このデッキプレート受け鉄骨に直交して固定された天井梁とを有し、当該部屋の天井を構成するデッキユニットと、
デッキユニットの天井梁に、機器取付機構を介して取り付けられ、当該部屋内に設置される設備機器と、を備え、
機器取付機構は、天井梁にボルトを用いて取り付けられていることを特徴とする天井モジュール構造体。
【請求項８】
デッキユニットの天井梁は、上部水平部と、下部水平部と、上部水平部と下部水平部とを連結する垂直部とを有し、
機器取付機構は、天井梁の下部水平部に圧接自在な一対の圧接部材と、この一対の圧接部材を連結し、設備機器が取り付けられた連結部材とを有し、
各圧接部材は、ボルトを用いて、天井梁の下部水平部に圧接されて、機器取付機構が天井梁に取り付けられていることを特徴とする請求項７に記載の天井モジュール構造体。
【請求項９】
デッキユニットの天井梁は、上部水平部と、下部水平部と、上部水平部と下部水平部とを連結する垂直部とを有し、
機器取付機構は、天井梁の下部水平部に係合自在な溝を含む一対の係合部材を有し、
一対の係合部材は、ボルトを用いて互いに連結されて、機器取付機構が天井梁に取り付けられていることを特徴とする請求項８に記載の天井モジュール構造体。
【請求項１０】
機器取付機構は、当該部屋の上部で設備機器を支持するためのステージを構成する支持部材を更に有していることを特徴とする請求項７乃至９のいずれかに記載の天井モジュール構造体。
【請求項１１】
デッキユニットに、吊り足場が設けられていることを特徴とする請求項７乃至１０のいずれかに記載の天井モジュール構造体。
【発明の詳細な説明】
【技術分野】
【０００１】
本発明は、プラント建屋の建設方法、およびプラント建屋の建設で用いられる天井モジュール構造体に関する。
【背景技術】
【０００２】
一般に、原子力発電所などのプラント建屋は、鉄筋コンクリート構造により構成され、複数の部屋を有しており、各部屋内には、プラント機器（例えば、ポンプ、熱交換機等）、配管、空調設備用のダクト、配線用のトレイ等の設備機器が設置されている。このようなプラント建屋を建設する方法として、例えば、特許文献１に示す建設方法が知られている。この特許文献１においては、部屋の天井を構成する天井用鉄骨部材と、当該部屋の壁を構成する壁用鉄骨部材と、当該部屋に設置される配管、ダクト、トレイ等の設備機器を、モジュール構造体として予め一体に組み立てておき、その後、このモジュール構造体をクレーンにて所定の場所に搬入するようになっている。
【先行技術文献】
【特許文献】
【０００３】
【特許文献１】特開平１０−２６６６０２号公報
【発明の概要】
【発明が解決しようとする課題】
【０００４】
しかしながら、特許文献１に示すモジュール構造体は、上述したように、部屋の壁を構成する壁用鉄骨部材を含んでいる。このことにより、このモジュール構造体を搬入した後、この壁用鉄骨部材を、既に施工された床の鉄骨柱、および隣接する部屋の鉄骨柱に、連結させることが必要となる。このため、モジュール構造体を設置する作業が煩雑になり、時間がかかるという問題がある。また、モジュール構造体が重量化するという問題もある。
【０００５】
本発明は、このような点を考慮してなされたものであり、建設作業を容易に行うと共に、建設工期を短縮することができるプラント建屋の建設方法、およびプラント建屋の建設で用いられる天井モジュール構造体を提供することを目的とする。
【課題を解決するための手段】
【０００６】
本発明は、プラント建屋の建設方法において、床上に所望の部屋を区画する壁を施工する工程と、壁によって区画された部屋内に、当該部屋内に設置される設備機器の一部を搬入する工程と、デッキプレートと、このデッキプレートを支持するデッキプレート受け鉄骨と、デッキプレート受け鉄骨に直交して固定された天井梁とを有し、当該部屋の天井を構成するデッキユニットを準備し、このデッキユニットの天井梁に、当該部屋内に設置される設備機器の残部を取り付けることにより天井モジュール構造体を製造する工程と、天井モジュール構造体を施工された壁に設置する工程と、を備えたことを特徴とするプラント建屋の建設方法である。
【０００７】
本発明によるプラント建屋の建設方法において、天井モジュール構造体を製造する工程は、屋外で行なわれるようにしてもよい。
【０００８】
本発明によるプラント建屋の建設方法において、天井モジュール構造体を製造する工程は、設備機器の一部を搬入する工程と並行して行なわれるようにしてもよい。
【０００９】
本発明によるプラント建屋の建設方法において、天井モジュール構造体を施工された壁に設置する工程の後に、デッキユニットのデッキプレートにコンクリートが打設されるようにしてもよい。
【００１０】
本発明によるプラント建屋の建設方法において、天井モジュール構造体を製造する工程において、デッキユニットの天井梁に、機器取付機構を介して設備機器の残部が取り付けられ、この機器取付機構が、天井梁にボルトを用いて取り付けられるようにしてもよい。
【００１１】
本発明によるプラント建屋の建設方法において、当該部屋内に搬入された設備機器の一部を、デッキユニットに吊り上げる工程と、当該部屋の床の上面を塗装する工程と、を更に備えるようにしてもよい。
【００１２】
本発明は、プラント建屋の建設で用いられ、建屋の所望の部屋の天井を構成し、当該部屋を区画する壁が施工された後に当該壁に設置される天井モジュール構造体において、デッキプレートと、このデッキプレートを支持するデッキプレート受け鉄骨と、このデッキプレート受け鉄骨に直交して固定された天井梁とを有し、当該部屋の天井を構成するデッキユニットと、デッキユニットの天井梁に、機器取付機構を介して取り付けられ、当該部屋内に設置される設備機器と、を備え、機器取付機構は、天井梁にボルトを用いて取り付けられていることを特徴とする天井モジュール構造体である。
【００１３】
本発明による天井モジュール構造体において、デッキユニットの天井梁は、上部水平部と、下部水平部と、上部水平部と下部水平部とを連結する垂直部とを有し、機器取付機構は、天井梁の下部水平部に圧接自在な一対の圧接部材と、この一対の圧接部材を連結し、設備機器が取り付けられた連結部材とを有し、各圧接部材は、ボルトを用いて、天井梁の下部水平部に圧接されて、機器取付機構が天井梁に取り付けられているようにしてもよい。
【００１４】
本発明による天井モジュール構造体において、デッキユニットの天井梁は、上部水平部と、下部水平部と、上部水平部と下部水平部とを連結する垂直部とを有し、機器取付機構は、天井梁の下部水平部に係合自在な溝を含む一対の係合部材を有し、一対の係合部材は、ボルトを用いて互いに連結されて、機器取付機構が天井梁に取り付けられているようにしてもよい。
【００１５】
本発明による天井モジュール構造体において、機器取付機構は、当該部屋の上部で設備機器を支持するためのステージを構成する支持部材を更に有しているようにしてもよい。
【００１６】
本発明による天井モジュール構造体において、デッキユニットに、吊り足場が設けられているようにしてもよい。
【発明の効果】
【００１７】
本発明によれば、建設作業を容易に行うと共に、建設工期を短縮することができる。
【図面の簡単な説明】
【００１８】
【図１】図１は、本発明の第１の実施の形態において、天井モジュール構造体を示す断面構成図。
【図２】図２は、本発明の第１の実施の形態において、天井モジュール構造体の機器取付機構を示す断面構成図。
【図３】図３は、本発明の第１の実施の形態において、プラント建屋の建設の工事手順を示す図。
【図４】図４（ａ）、（ｂ）、（ｃ）は、本発明の第１の実施の形態において、プラント建屋の建設方法を示す図。
【図５】図５（ａ）、（ｂ）は、本発明の第１の実施の形態において、プラント建屋の建設方法を示す図。
【図６】図６は、本発明の第１の実施の形態において、天井モジュール構造体の機器取付機構の変形例を示す断面構成図。
【図７】図７は、本発明の第２の実施の形態において、天井モジュール構造体を示す断面構成図。
【図８】図８は、本発明の第３の実施の形態において、天井モジュール構造体を示す断面構成図。
【発明を実施するための形態】
【００１９】
以下、図面を参照して、本発明の実施の形態におけるプラント建屋の建設方法およびプラント建屋の建設で用いられる天井モジュール構造体について説明する。ここで、天井モジュール構造体は、原子力発電所等のプラントの建屋の建設で用いられるものであって、建屋の通り芯によって区画される所望の部屋の天井を構成し、この部屋を区画する壁が施工された後に、この壁に設置されるものである。
【００２０】
第１の実施の形態
まず、図１乃至図６を用いて、本発明の第１の実施の形態について説明する。
【００２１】
図１、図４、および図５に示すように、天井モジュール構造体１は、部屋２の天井３を構成するデッキユニット１０と、このデッキユニット１０に取り付けられ、当該部屋２内に設置される設備機器（配管３０ａ、ダクト、トレイ等）３０の一部とを備えている。このうちデッキユニット１０は、デッキプレート１１と、このデッキプレート１１を支持するデッキプレート受け鉄骨１２と、このデッキプレート受け鉄骨１２に直交して固定された天井梁１３とを備えている。また、天井梁１３は、Ｈ形状の断面を有し（例えば、Ｈ型鋼からなり）、上部水平部１３ａと、下部水平部１３ｂと、上部水平部１３ａと下部水平部１３ｂとを連結する垂直部１３ｃとを有している。
【００２２】
天井梁１３の下部水平部１３ｂに、機器取付機構２０を介して、部屋２に設置される設備機器３０の一部（先入れされる設備機器３０の一部に対する残部に相当）が取り付けられている。なお、図１においては、設備機器３０の一例として、天井３に設置される配管３０ａが示されているが、このことに限られることはなく、設備機器３０として、ダクト、トレイ等を取り付けるようにしてもよい。
【００２３】
図２に示すように、機器取付機構２０は、天井梁１３の下部水平部１３ｂに圧接自在な一対の圧接部材２１と、この一対の圧接部材２１を連結する連結部材２５とを有している。
【００２４】
このうち一対の圧接部材２１は、天井梁１３の垂直部１３ｃに対して略対称的に形成されている。各圧接部材２１は、天井梁１３の長手方向に直交する平面に配置される部材本体２１ａと、天井梁１３の下部水平部１３ｂの上側に位置し、部材本体２１ａから天井梁１３の長手方向に延びる上側部分２１ｂと、天井梁１３の下部水平部１３ｂの下側に位置し、部材本体２１ａから天井梁１３の長手方向に延びる下側部分２１ｃとを含んでおり、上側部分２１ｂと下側部分２１ｃとの間に、天井梁１３の下部水平部１３ｂが介在されるようになっている。下側部分２１ｃには、ねじ穴２２が設けられ、このねじ穴２２に螺合された圧接ボルト２３を締め付けることにより、天井梁１３の下部水平部１３ｂに、圧接部材２１の上側部分２１ｂが押圧されて、圧接される。このようにして、機器取付機構２０が、天井梁１３に圧接ボルト２３を用いて取り付けられるようになっている。
【００２５】
各圧接部材２１の部材本体２１ａと連結部材２５とは、連結ボルト２６により連結され、一対の圧接部材２１が一体化されるようになっている。また、連結部材２５の下部には、設備機器３０の一部を取り付けるための機器取付穴２７が設けられている。この機器取付穴２７に、フック部材（図１参照）２８を介して、設備機器３０が取り付けられるようになっている。
【００２６】
次に、このような構成からなる本実施の形態の作用、すなわち本実施の形態によるプラント建屋の建設方法について説明する。ここでは、プラント建屋の所望の部屋２の建設工程について説明する。
【００２７】
まず、図３に示すように、部屋２の床４の上面に、プラント建屋の部屋２を区画する壁５が施工される（図４（ａ）参照）。この場合、まず、作業足場３１が組み立てられ、壁５を構成する図示しない通し芯、鉄筋、および天井モジュール構造体１を支持するための支承部３２が設置される。次に、壁５を構成する鉄筋に、壁５の内部に埋設される図示しない配管等の設備機器が取り付けられる。その後、型枠（図示せず）が取り付けられて、コンクリートが打設される。なお、壁５を施工する前には、この部屋２の床４は、配管等が埋設されて、コンクリート打設されている。
【００２８】
次に、壁５によって区画された部屋２内に、当該部屋２内に設置される設備機器３０の一部（先入れ品）が搬入される（図４（ｂ）参照）。この場合、上述の作業足場３１の一部が、設備機器３０の先入れ品の搬入時に干渉する場合には、作業足場３１の一部が解体され、搬入後に再組立される。なお、図４および図５においては、一例として、配管３０ａ、プラント機器３０ｂといった設備機器３０が搬入された場合を示している。
【００２９】
設備機器３０の先入れ品の搬入と並行して、デッキユニット１０に、部屋２内に設置される設備機器３０（配管３０ａ等）の残部が取り付けられ、天井モジュール構造体１が製造される（図４（ｃ）参照）。
【００３０】
この場合、まず、図１に示すような、デッキプレート１１と、デッキプレート受け鉄骨１２と、天井梁１３とを有するデッキユニット１０を準備する。なお、このデッキユニット１０は、工場等において事前に製造しておくことが好ましい。また、この天井モジュール構造体１の製造は、図３に示すように、設備機器３０の先入れ品の搬入前から行っても良い。
【００３１】
次に、このデッキユニット１０の天井梁１３に、機器取付機構２０、フック部材２８等を用いて、設備機器３０の残部が取り付けられる。この場合、まず、機器取付機構２０の圧接部材２１の上側部分２１ｂと下側部分２１ｃとの間に、天井梁１３の下部水平部１３ｂが介在されるように、圧接部材２１が天井梁１３に取り付けられる。次に、一対の圧接部材２１が、連結部材２５および連結ボルト２６により連結されると共に、圧接部材２１の下側部分２１ｃに設けられたねじ穴２２に、圧接ボルト２３が螺合されて、この圧接ボルト２３が締め付けられる。このことにより、圧接部材２１が天井梁１３に取り付けられる。その後、連結部材２５に、フック部材２８を介して設備機器３０が取り付けられる。なお、設備機器３０の残部の取付は、図３に示すように、建屋内よりも作業環境が良い屋外ヤードで行われることが好ましい。
【００３２】
このようにして、天井モジュール構造体１が製造される。
【００３３】
デッキユニット１０に設備機器３０の残部が取り付けられた後、天井モジュール構造体１が、施工された壁５に設置される（図５（ａ）参照）。この場合、天井モジュール構造体１が、壁５に設置された支承部３２に、溶接またはボルト締結等により固定される。
【００３４】
次に、この天井モジュール構造体１の上側（上階）の部屋の床の工事が行われる。この場合、図示しないが、床を構成する鉄筋が設置され、この鉄筋に、床内部に埋設される配管等が取り付けられ、その後、型枠が取り付けられて、デッキプレートにコンクリートが打設される。また、天井モジュール構造体１の下側の部屋２（下階）の仕上げ工事が行われる。
【００３５】
次に、部屋２内に搬入された先入れ品である設備機器３０の一部が、天井モジュール構造体１の天井梁１３に吊り上げられる（図５（ｂ）参照）。この場合、まず、この設備機器３０の一部が、天井モジュール構造体１の天井梁１３の吊下穴（図示せず）に、吊下部材（例えば、チェーンブロックやワイヤ等）２９により吊り下げられる。次に、組み立てられていた作業足場３１が解体され、その後、吊り下げられていた設備機器３０の一部が、吊り上げられる。このことにより、この部屋２の床４の上面を、設備機器３０が載置されていない状態とすることができる。
【００３６】
その後、部屋２の床４の上面および壁（腰壁）が塗装される。塗装が終了すると、当該部屋２の建設工事が完了し、エリアリリースされ、機械工事、電気工事に移行される。
【００３７】
このように本実施の形態によれば、プラント建屋の部屋２を区画する壁５が施工された後に、この壁５に、天井モジュール構造体１が設置される。この場合、壁５の通し芯は予め設置されているため、天井モジュール構造体１を容易に壁５に設置することができる。このため、プラント建屋の建設作業を容易に行うことができ、建設工期を短縮することができる。
【００３８】
また、本実施の形態によれば、プラント建屋の部屋２内に、先入れ品として設備機器３０の一部が搬入された後、設備機器３０の残部がデッキユニット１０に取り付けられて、天井モジュール構造体１として部屋２内に搬入される。このことにより、設備機器３０をある程度まとめて部屋２内に搬入することができ、クレーン等の重機を使用する回数を低減して、重機の稼働率を低減することができる。また、重機の使用回数が低減されるため、設備機器３０の搬入するために建設工事を停止する期間を短縮することができる。このため、プラント建屋の建設工期を短縮することができる。
【００３９】
また、本実施の形態によれば、天井モジュール構造体１を用いることなく、先入れ品として搬入される設備機器３０の物量を低減することができる。このため、先入れ品として搬入された設備機器３０を仮置きするための架台等が不要となり、設備機器３０の搬入時の作業効率を向上させることができる。また、その後に行われる部屋２の床４の上面の塗装前に行われる設備機器３０の吊り上げ作業を簡素化することができる。このため、プラント建屋の建設工期を短縮することができる。
【００４０】
また、本実施の形態によれば、設備機器３０の一部を先入れ品として搬入する工程と、天井モジュール構造体１を製造する工程が、並行して行われる。このことにより、設備機器３０の搬入を効率良く行うことができ、プラント建屋の建設工期を短縮することができる。
【００４１】
さらに、本実施の形態によれば、天井モジュール構造体１の天井梁１３に、圧接ボルト２３を用いて機器取付機構２０が取り付けられ、この機器取付機構２０に設備機器３０が取り付けられる。このように圧接ボルト２３を用いて設備機器３０を取り付けることにより、天井梁１３に容易に設備機器３０を取り付けることができる。このため、プラント建屋の建設工期を短縮することができる。
【００４２】
なお、本実施の形態においては、図２に示すように、機器取付機構２０は、一対の圧接部材２１と、この一対の圧接部材２１を連結する連結部材２５とを有し、各圧接部材２１が、圧接ボルト２３を用いて、天井梁１３の下部水平部１３ｂに圧接されて、機器取付機構２０が天井梁１３に取り付けられている例について説明した。しかしながら、このことに限られることはなく、図６に示すように、機器取付機構２０が、天井梁１３の下部水平部１３ｂに係合自在な溝４１ｂを含み、天井梁１３の垂直部１３ｃに対して略対称的に形成された一対の係合部材４１を有し、この一対の係合部材４１が、連結ボルト４２を用いて互いに連結されて、機器取付機構２０が天井梁１３に取り付けられるようにしても良い。すなわち、図６においては、一対の係合部材４１は、天井梁１３の長手方向に直交する平面に配置される部材本体４１ａと、この部材本体４１ａに設けられ、天井梁１３の下部水平部１３ｂに係合自在な溝４１ｂと、天井梁１３の下部水平部１３ｂの下方に位置し、部材本体４１ａから天井梁１３の長手方向に延びるボルト締結部４１ｃとを含んでおり、各係合部材４１のボルト締結部４１ｃが、連結ボルト４２により締結されることにより、一対の係合部材４１が一体化されるようになっている。この場合、設備機器３０を、天井梁１３に容易に取り付けることができると共に、機器取付機構２０の部材点数を低減し、軽量化を図ることができる。
【００４３】
第２の実施の形態
次に、図７により、本発明の第２の実施の形態について説明する。
【００４４】
図７に示す第２の実施の形態における天井モジュール構造体においては、デッキユニットにステージが設けられ、設備機器が、このステージにより支持されている点が主に異なり、他の構成は、図１乃至図６に示す第１の実施の形態と略同一である。なお、図７において、図１乃至図６に示す第１の実施の形態と同一部分には同一符号を付して詳細な説明は省略する。
【００４５】
図７に示すように、機器取付機構２０は、部屋２の上部で設備機器３０を支持するためのステージ５０を構成する支持部材５１を有している。すなわち、天井モジュール構造体１の一の天井梁１３に取り付けられた機器取付機構２０の支持部材５１と、他の天井梁１３に取り付けられた機器取付機構２０の支持部材５１とが、略水平に延びるステージ連結部材５２により連結されて、図７に示すような、コの字状のステージ５０が形成されている。そして、このステージ連結部材５２上に、配管３０ａ等の設備機器３０が取り付けられている。この場合、複数のステージ連結部材５２を取り付けて、配管３０ａ、ダクト、トレイ等の設備機器３０を複数段取り付けるようにしても良い。なお、ステージ５０の支持部材５１は、図示しないが、図２に示す機器取付機構２０の連結部材２５に、溶接等によって一体に形成されても良く、あるいは、連結部材２５と別個に形成されてボルト等により締結されるようにしても良い。さらには、支持部材５１は、図６に示す機器取付機構２０の一対の係合部材４１に、溶接等によって一体に形成されても良く、あるいは、一対の係合部材４１と別個に形成されてボルト等により締結されるようにしても良い。
【００４６】
このように本実施の形態によれば、部屋２の上部にステージ５０を設けて配管３０ａ等の設備機器３０を設置する場合においても、天井モジュール構造体１に、予め、このステージ５０を設けておくことにより、この部屋２の上部に、ステージ５０を容易に設けることができる。このため、プラント建屋の建設工期を短縮することができる。
【００４７】
第３の実施の形態
次に、図８により、本発明の第３の実施の形態について説明する。
【００４８】
図８に示す第３の実施の形態における天井モジュール構造体においては、デッキユニットに、吊り足場が設けられている点が主に異なり、他の構成は、図１乃至図６に示す第１の実施の形態と略同一である。なお、図８において、図１乃至図６に示す第１の実施の形態と同一部分には同一符号を付して詳細な説明は省略する。
【００４９】
図８に示すように、天井モジュール構造体１のデッキプレート受け鉄骨１２に、吊り足場６０が設けられている。なお、この吊り足場６０は、デッキユニット１０と同様にして工場等において事前にデッキプレート受け鉄骨１２に取り付けるようにしても良く、あるいは、設備機器３０を取り付ける際に、デッキプレート受け鉄骨１２に取り付けるようにしても良い。
【００５０】
このように本実施の形態によれば、部屋２の天井３が高く、部屋２の上部に吊り足場６０を設ける場合においても、天井モジュール構造体１に、予め、この吊り足場６０を設けておくことにより、この部屋２に、吊り足場６０を容易に設けることができる。このため、プラント建屋の建設工期を短縮することができる。
【００５１】
以上、本発明による実施の形態について説明してきたが、当然のことながら、本発明の要旨の範囲内で、これらの実施の形態を、部分的に、適宜組み合わせることも可能である。また、これらの本実施の形態においては、本発明の要旨の範囲内で、種々の変形も可能である。
【符号の説明】
【００５２】
１      天井モジュール構造体
２      部屋
３      天井
４      床
５      壁
１０    デッキユニット
１１    デッキプレート
１２    デッキプレート受け鉄骨
１３    天井梁
１３ａ  上部水平部
１３ｂ  下部水平部
１３ｃ  垂直部
２０    機器取付機構
２１    圧接部材
２１ａ  部材本体
２１ｂ  上側部分
２１ｃ  下側部分
２２    ねじ穴
２３    圧接ボルト
２５    連結部材
２６    連結ボルト
２７    機器取付穴
２８    フック部材
２９    吊下部材
３０    設備機器
３０ａ  配管
３０ｂ  プラント機器
３１    作業足場
３２    支承部
４１    係合部材
４１ａ  部材本体
４１ｂ  溝
４１ｃ  ボルト締結部
４２    連結ボルト
５０    ステージ
５１    支持部材
５２    ステージ連結部材
６０    吊り足場
【図１】
2011246945.tif 000003
【図２】
2011246945.tif 000004
【図３】
2011246945.tif 000005
【図４】
2011246945.tif 000006
【図５】
2011246945.tif 000007
【図６】
2011246945.tif 000008
【図７】
2011246945.tif 000009
【図８】
2011246945.tif 000010